(57)【要約】【課題】端末装置を装着する面に開口部を設ける必要のない端末装置の装着装置を提供する。【解決手段】磁石３１を有する電子部品が搭載され電力供給用の二次電池３３を備える携帯電話機１を装着し携帯電話機１の二次電池３３に電気を供給する給電経路を有する携帯電話機１の充電装置２において、携帯電話機１を装着した際に磁石３１からの磁気を検知するホールＩＣ２７を設けるとともに、給電経路上にホールＩＣ２７が磁気を検出したときに携帯電話機１の二次電池３３に通電させるスイッチ機構７１を設けた。【選択図】図２
2005110332.tif 000002
【特許請求の範囲】
【請求項１】
磁石を有する電子部品が搭載され電力供給用の二次電池を備える端末装置を装着し前記端末装置の前記二次電池に電気を供給する給電経路を有する端末装置の装着装置において、
前記端末装置を装着した際に前記磁石からの磁気を検知する磁気検出器を設けるとともに、前記給電経路上に前記磁気検出器が磁気を検出したときに前記端末装置の前記二次電池に通電させるスイッチ機構を設けたことを特徴とする端末装置の装着装置。
【請求項２】
前記給電経路上に給電側コイルを設けて、前記端末装置を装着した際に前記給電側コイルと前記装着装置の受電側コイルとが非接触的に接続されることを特徴とする請求項１に記載の端末装置の装着装置。
【請求項３】
磁石を有する電子部品が搭載された端末装置を装着し前記端末装置と情報を送受信するための送受信経路を有する端末装置の装着装置において、
前記端末装置を装着した際に前記磁石からの磁気を検知する磁気検出器を設けるとともに、前記送受信経路上に前記磁気検出器が磁気を検出したときに送受信可能とするスイッチ機構を設けたことを特徴とする端末装置の装着装置。
【請求項４】
前記磁気検出器はホールＩＣであることを特徴とする請求項１から３のいずれか一項に記載の端末装置の装着装置。
【発明の詳細な説明】
【技術分野】
【０００１】
本発明は、端末装置の装着装置に係り、特に磁石を有する端末装置を装着する端末装置の装着装置に関するものである。
【背景技術】
【０００２】
一般に、情報通信機能や個人情報管理機能を有する携帯電話機やＰＤＡ（Personal Digital Assistsnce）等の携帯型情報通信端末装置（以下、「端末装置」という）やノート型のモバイルＰＣ（Personal Computer）においては、操作に必要な電力を得るための二次電池が内蔵されており、充電装置により定期的に充電を行う必要がある。また、近時は、携帯電話機とＰＣ間、ＰＤＡとＰＣ間等異種の端末装置間で相互に情報を送受信することが行われており、この際、簡易に情報の送受信等を行う手段としてクレードルを用いることも行われている。クレードルは、ＡＣアダプタの接続端子やＵＳＢ（Universal Serial Bus）コネクタ等を備え、端末装置をクレードルに載置することによって端末装置の充電を行ったり、クレードルを介して端末装置を他の端末装置と接続して情報を送受信したりすることができるものである。
【０００３】
このような充電装置やクレードル等の装着装置を用いる場合には、充電を開始させるなど装着装置を動作させるために何らかのスイッチ機構を設けることが必要となる。この点、従来より、装着装置側に押圧式のスイッチを設けることが知られている。このようなスイッチ機構においては、端末装置の背面側にスイッチを押圧するための突起を設けるとともに、装着装置に端末装置を装着したとき端末装置の突起が当接する位置に突起が係合するための開口部が設けられる。そして、端末装置の突起を装着装置の開口部に係合させることによって装着装置側のスイッチを押圧し、これにより通電させるようになっている（例えば、特許文献１参照）。
【０００４】
しかしながら、このような構造とすると、端末装置に設けられた突起と装着装置側のスイッチとの位置を正確に合わせる必要があり、装置構成が複雑になるとともに製造工程において手間がかかる。また、装着装置側に端末装置側の突起を係合させるための開口部を設ける必要があるが、開口部を設けると開口部から装着装置内部に埃が入りやすく、装置の故障等の原因となるおそれもある。
【０００５】
そこで、押圧式のスイッチを設けずに装着装置に端末装置が載置されたことを検知して装着装置が動作する構成をとることが望まれる。この点、端末装置から二次電池のみを取り出して充電する装置において、充電装置に磁気を検知するホールＩＣを配置し、他方二次電池の一面には磁石を埋め込むようにした技術が知られている。これによれば充電装置に二次電池が載置されると充電装置に取り付けられたホールＩＣが二次電池の磁石から出る磁気を検知して通電させるので、別途充電装置に押圧式のスイッチを設けることなく充電を行うことができる（例えば、特許文献２参照）。
【特許文献１】特開２００３−４７１６４号公報
【特許文献２】特開２００２−１９１１２９号公報
【発明の開示】
【発明が解決しようとする課題】
【０００６】
しかしながら、特許文献２に記載の発明は二次電池を端末装置本体から取り出して充電装置に装着するものであるため、二次電池を着脱する手間を要し、不便であるという問題がある。また、二次電池はそれ自体では磁気を発生させるものではないため、二次電池が充電装置に装着されたことをホールＩＣに検知させるためには二次電池に別途磁石を埋め込む等する必要がある。このため、二次電池が不必要に大きくなったり、重くなったりし、ひいては二次電池を搭載する端末装置本体の小型軽量化を図ることができないという問題があった。さらに、クレードルのように装置本体を載置することによって用いるものに対しては適用することができず、装着装置に押圧式のスイッチ及び開口部を設ける必要があり、内部に埃がたまりやすく故障の原因ともなるという従来よりの問題を解決することができなかった。
【０００７】
そこで、本発明はかかる問題を解決するためになされたものであり、開口部を有するスイッチ機構を設けることなく端末装置を載置するだけで動作する端末装置の装着装置を提供することを目的とするものである。
【課題を解決するための手段】
【０００８】
このような問題を解決するため、請求項1に記載されている発明は、磁石を有する電子部品が搭載され電力供給用の二次電池を備える端末装置を装着し前記端末装置の前記二次電池に電気を供給する給電経路を有する端末装置の装着装置において、
前記端末装置を装着した際に前記磁石からの磁気を検知する磁気検出器を設けるとともに、前記給電経路上に前記磁気検出器が磁気を検出したときに前記端末装置の前記二次電池に通電させるスイッチ機構を設けたことを特徴としている。
【０００９】
このような構成を有する請求項１に記載の発明は、装着装置に端末装置を載置することによって磁気検出器が端末装置に搭載された磁石の磁気を検知し、端末装置の二次電池に電気を通電させるようになっている。
【００１０】
請求項２に記載されている発明は、請求項1に記載の発明において、前記給電経路上に給電側コイルを設けて、前記端末装置を装着した際に前記給電側コイルと前記装着装置の受電側コイルとが非接触的に接続されることを特徴としている。
【００１１】
このような構成を有する請求項２に記載の発明は、装着装置に端末装置を載置することによって磁気検出器が端末装置に搭載された磁石の磁気を検知し、装着装置を介して端末装置と他の端末装置との間で情報の送受信を行うことができるようになっている。
【００１２】
請求項３に記載されている発明は、磁石を有する電子部品が搭載された端末装置を装着し前記端末装置と情報を送受信するための送受信経路を有する端末装置の装着装置において、
前記端末装置を装着した際に前記磁石からの磁気を検知する磁気検出器を設けるとともに、前記送受信経路上に前記磁気検出器が磁気を検出したときに送受信可能とするスイッチ機構を設けたことを特徴としている。
【００１３】
このような構成を有する請求項３に記載の発明は、装着装置の給電側コイルと端末装置受電側コイルとの間に生じる誘導起電力によって装着装置と端末装置との間の給電経路に電流が流れるようにすることにより非接触方式により二次電池の充電を行うことができるようになっている。
【００１４】
請求項４に記載されている発明は、請求項１から３のいずれか一項に記載の発明において、前記磁気検出器はホールＩＣであることを特徴としている。
【００１５】
このような構成を有する請求項４に記載の発明は、端末装置に搭載されている電子部品の磁石から出る磁気を検知して、スイッチ機構に対して検知結果に応じた電圧を印加させるようになっている。
【発明の効果】
【００１６】
請求項1に記載された発明によれば、装着装置に押圧式のスイッチ等を設ける必要がなく、装置構成が簡易化できるとともに、スイッチを露出させる必要がないため装着装置に開口部を設ける必要がなく、開口部から埃が入ることによる装置の故障等を防止することができるという効果を奏する。
【００１７】
また、端末装置自体にもともと組み込まれている磁石の磁気を検知することにより通電と非通電の切り替えを行わせるので、別途磁石を取り付ける等の必要がなく、装置の小型化軽量化が実現できる。さらに、充電を行うには端末装置自体を装着装置に装着するだけでよいため、二次電池を取り出す等の手間を省くことができるという効果を奏する。
【００１８】
請求項２に記載された発明によれば、非接触方式で端末装置の充電を行うことができる。これにより、装着装置及び端末装置の表面に給電用端子や充電用端子が露出することがないため装置構成を簡易化できるとともに繰り返し使用しても損傷し難いという効果を奏する。
【００１９】
請求項３に記載された発明によれば、装着装置に押圧式のスイッチ等を設ける必要がなく、装置構成が簡易化できるとともに、スイッチを露出させる必要がないため装着装置に開口部を設ける必要がなく、開口部から埃が入ることによる装置の故障等を防止することができるという効果を奏する。
【００２０】
また、装着装置に設けられた磁気検出器が端末装置に搭載された磁石の磁気を検知し端末装置が装着装置を介して情報の送受信を行うことができるので、装着装置に端末装置を載置するという簡易な動作のみによって他の端末装置と情報の送受信を行うことが可能であるという効果を奏する。
【００２１】
請求項４に記載された発明によれば、ホールＩＣが端末装置に搭載されている電子部品の磁石から出る磁気を検知してスイッチを動作させることにより装着装置による端末装置の充電や情報の送受信を行うので、装着装置に押圧式のスイッチ等を設ける必要がない。このため、装着装置に埃等が入ることによる故障を防止することができるとともに装着装置の装置構成を簡素化することができるという効果を奏する。
【発明を実施するための最良の形態】
【００２２】
以下、添付図面を参照しつつ本発明に係る端末装置の装着装置の実施形態について説明する。
【００２３】
[第一実施形態]
図１から図５は、本発明に係る端末装置の装着装置の第一の実施の形態を示したものであり、本実施形態においては端末装置の装着装置として携帯電話機１の充電装置２を用い、図１に示すような携帯電話機１を充電装置２に装着することによって携帯電話機１の充電を行う場合について説明する。
【００２４】
まず、図１（ａ）及び図１（ｂ）に示すように、携帯電話機１は第一筐体３と第二筐体４とをヒンジ部５を介して回動可能に連結し、必要に応じて開閉可能とした折り畳み式となっている。
【００２５】
図１（ａ）に示すように、第一筐体３の一面であって折り畳み時に内側になる面（以下「正面側」という）には、液晶ディスプレイ６が配設されており、第一筐体３の上端部近傍には受話用スピーカ７が埋設されている。また、第二筐体４の正面側には、各種の操作キー等からなる入力部８が配設されており、下端部近傍には送話用マイク９が埋設されている。
【００２６】
第二筐体４の一面であって折り畳み時に外側になる面（以下「背面側」という）には、バッテリーボックスカバー１０が設けられており、バッテリーボックスカバー１０の内側に設けられたバッテリーボックスには携帯電話機１の各部に電力を供給する二次電池３３等が格納されている。また、バッテリーボックスカバー１０に隣接してヒンジ部５の近傍には内部に磁石３１を内蔵する報知用スピーカ１１が設けられている。さらに、第二筐体４の上部一端にはアンテナ１２が配設されている。
【００２７】
第二筐体４の上端中央部には係止孔１３が穿設されており、また、第二筐体４の背面側の下端部にはグランド端子１４及び充電用端子１５が設けられている。
【００２８】
他方、図２に示すように、充電装置２は箱型の筐体１６を有しており、筐体１６の一端部には、ＡＣアダプタ１７の接続プラグ１８を挿入するコネクタ部１９が設けられている。
【００２９】
筐体１６の長手方向と直交する方向側における端部には保持部２１が形成されており、保持部２１にはバネ状に形成された一対の押圧片２０，２０が設けられており、充電装置２に携帯電話機１が装着された際に携帯電話機１を筐体１６の他端に向かって付勢するようになっている。筐体１６の他端部であって保持部２１に対向する位置には係止部材２３が突設されている。係止部材２３の一面であって保持部２１に対向する面には携帯電話機１を筐体１６の上に係止するための係止用突起２２が形成されている。携帯電話機１は折り畳まれた状態で第二筐体４の背面側が充電装置２の筐体１６の上面に接するように充電装置２に載置され、係止用突起２３とが係止孔１３に係止され押圧片２０，２０によって係止用突起２３の側に付勢されることによって所定の位置に固定されるようになっている。
【００３０】
筐体１６の上面一端部であって、充電装置２に携帯電話機１を装着した際に携帯電話機１の充電用端子１５が当接する位置には給電用端子２４が配設されている。図３に示すように、給電用端子２４は図示しないコイルスプリングによって給電ピン２５が押し上げられて携帯電話機１側の充電用端子１５に当接するようになっている。また、充電装置２に携帯電話機１を装着した際に携帯電話機１のグランド端子１４が当接する位置には給電用端子２４とほぼ同様の構成を有するグランド用端子３０が配設されている。グランド用端子３０の先端部は図示しないコイルスプリングによって押し上げられて携帯電話機１側のグランド端子１４に当接するようになっている。
【００３１】
また、充電装置２の内部には種々の電子部品を制御する回路基板２６が設けられており、給電用端子２４はこの回路基板２６の上に形成された端子と電気的に接続されている。
【００３２】
回路基板２６の上であって充電装置２に携帯電話機１を装着した際に携帯電話機１に設けられている報知用スピーカ１１に対応する位置には、磁気検出器としてのホールＩＣ２７が配設されている。ホールＩＣ２７は、磁気検出素子としてのホール素子を用いたＩＣセンサであり、磁気を検出しないときにはＬＯＷレベルの信号を出力し、磁気を検出したときにはＨＩＧＨレベルの信号を出力するようになっている。
【００３３】
次に、図４を参照しつつ本実施形態における携帯電話機１の充電装置２の回路構成について説明する。
【００３４】
充電装置２はＡＣアダプタ１７を介して図示しない電源に接続される電源端子２８を有しており、電源から供給される電流の給電経路上にはスイッチ機構として半導体スイッチング素子であるＭＯＳ形電界効果トランジスタ（Field Effect Transistor  以下、「ＦＥＴ」という）２９が配置されている。
【００３５】
また、給電回路上であって電源端子２８とＦＥＴ２９との間には前記ホールＩＣ２７が設けられている。図４（ａ）に示すように、充電装置２に携帯電話機１が装着されていない状態ではホールＩＣ２７によって磁気が検知されないため、ホールＩＣ２７からＬＯＷレベルの信号が出力されてこの信号に応じた電圧がＦＥＴ２９のゲートに対して印加されるようになっている。これにより、ＦＥＴ２９のソース・ドレイン間には電流が流れず、ＦＥＴ２９はＯＦＦ状態となり、充電装置２にＡＣアダプタ１７を介して電源が接続されていても電源供給は切断された状態となっている。
【００３６】
これに対して、充電装置２に携帯電話機１が装着されると、図４（ｂ）に示すように、ホールＩＣ２７によって携帯電話機１に設けられた報知用スピーカ１１の磁石３１から出る磁気が検知され、ホールＩＣ２７からＨＩＧＨレベルの信号が出力されてこの信号に応じた電圧がＦＥＴ２９のゲートに対して印加されるようになっている。これにより、ＦＥＴ２９のソース・ドレイン間に電流が流れＦＥＴ２９はＯＮ状態となり、携帯電話機１側の回路に通電されるようになっている。
【００３７】
携帯電話機１側の回路上には電流の逆流を防止するためのダイオード３２が設けられており、充電装置２から供給された電流は所定の方向に流れて携帯電話機１のバッテリーボックス内に格納されている二次電池３３が充電されるようになっている。また、携帯電話機１側の給電回路上には二次電池３３に充電された電流を携帯電話機１の各種の電子部品に供給するための電源回路３４が設けられている。
【００３８】
次に、本実施形態の作用について説明する。
【００３９】
電源に接続されたＡＣアダプタ１７のプラグ１８を充電装置２のコネクタ部１９に挿入することにより電源からの電流が直流／交流変換されて充電装置２に供給される。充電装置２に携帯電話機１を装着すると、携帯電話機１に設けられている充電用端子１５が充電装置２の給電用端子２４に当接するとともに携帯電話機１の報知用スピーカ１１が充電装置２のホールＩＣ２７の上方に位置される。ホールＩＣ２７は携帯電話機１に設けられた報知用スピーカ１１の磁石３１から出力される磁気を検知してＨＩＧＨレベルの信号を出力しこの信号に応じてＦＥＴ２９のゲートにはＨＩＧＨレベルの電圧が印加される。これにより、ＦＥＴ２９のソース・ドレイン間に電流が流れて携帯電話機１側の回路への通電が行われる。さらに、電流が携帯電話機１側の回路上を所定の方向に流れることにより携帯電話機１のバッテリーボックス内に格納されている二次電池３３に供給され、二次電池３３が充電される。二次電池３３に充電された電気は電源回路３４に供給され、電源回路３４を介して携帯電話機１の各種の電子部品に供給される。
【００４０】
なお、本実施形態においては、ＡＣ／ＤＣ変換回路を内蔵するＡＣアダプタ１７と充電装置２とを別装置として構成し、両者をコネクタ部１９によって接続する構成としたが、図５に示すように、ＡＣ／ＤＣ変換回路３５を充電装置２の筐体内に設け、回路基板２６上に配設されたコネクタ３６と接続するようにしてもよい。
【００４１】
また、本実施形態においてはスイッチ機構を構成するスイッチング素子としてＦＥＴ２９を用いるものとしたが、スイッチング素子はこれに限られず、例えば、バイポーラトランジスタを用いてスイッチ機構を構成するものとしてもよい。
【００４２】
また、本実施形態においてはホールＩＣ２７を携帯電話機１に設けられた報知用スピーカ１１に対応する位置に設けて報知用スピーカ１１に内蔵された磁石３１の磁気を検知させるようにしたが、ホールＩＣ２７を設ける位置はこれに限られず、携帯電話機１の受話用スピーカ７や送話用マイク９またはバイブレーター機構を構成するモータ等の磁石を有する電子部品に対応する位置にホールＩＣ２７を設けて磁気を検知させるようにしてもよい。
【００４３】
また、本実施の形態は携帯電話機１の充電装置２について説明したが、磁石を有する電子部品が搭載される電子機器を装着するものであればこれに限られず、例えば、ＰＤＡやＰＨＳ、デジタルカメラ等の充電装置であっても適用可能である。
【００４４】
本実施の形態によれば、ホールＩＣ２７が磁気を検知することによって給電経路に電流が流れるようにするため充電装置２に押圧式のスイッチを設ける必要がなく装置構造を簡素化することができる。また、携帯電話機１に内蔵されている報知用スピーカ１１の磁石の磁気を検知するので別途磁気を発するものを取り付ける必要がなく、充電装置２に装着する携帯電話機１の小型化軽量化を実現することができる。
【００４５】
[第二実施形態]
次に、図６及び図７を参照しつつ、本発明の第二の実施形態について説明する。なお、以下においては、特に第一の実施形態と異なる点を説明する。
【００４６】
図６に示すように、本実施形態において充電装置３８の内部には種々の電子部品を制御する回路基板３９が設けられており、回路基板３９の上であって充電装置３８に携帯電話機３７を装着した際に携帯電話機３７に設けられている報知用スピーカ４０に対応する位置には、磁気検出器としてのホールＩＣ４１が配設されている。報知用スピーカ４０は磁石６０（図７参照）を有しており、ホールＩＣ４１は、充電装置３８に携帯電話機３７が装着された際に磁石６０から出る磁気を検知するようになっている。
【００４７】
また、回路基板３９上の一端にはコネクタ４２が接続されており、コネクタ４２には図示しない電源と接続するためのコード４６を備える電子部品４５が接続されている。また、この電子部品４５の内部であって充電装置３８に携帯電話機３７を装着したときに携帯電話機３７の受電側コイル４７が設けられている位置に対応して、給電側コイル４８が設けられている。
【００４８】
次に、図７を参照しつつ本実施形態における携帯電話機３７の充電装置３８の回路構成について説明する。
【００４９】
充電装置３８はコード４６を介して電源と接続される電源用端子４３を有しており、電源から供給された電流を充電装置３８の図示しない内部電子部品と携帯電話機３７に電流を供給する給電側コイル４８との２箇所にそれぞれ供給する給電部４９が設けられている。また、給電回路上には、電気の通電、切断を切り替えるスイッチ機構としてのスイッチ部５０が設けられており、給電部４９と給電側コイル４８との間にはスイッチ部５０を構成するリードスイッチ５１が設けられている。
【００５０】
また、充電装置３８の内部電子部品に電流を供給する給電回路上にはＡＣ／ＤＣ変換回路４４が設けられており、電流は内部給電側コイル５２及び内部受電側コイル５３を介してＡＣ／ＤＣ変換回路４４に送られるようになっている。このように給電回路を直接電気的に接続せず内部給電側コイル５２及び内部受電側コイル５３を介して電磁的に結合させることにより回路を電気的に分離して各回路間の電気的干渉を防止することができるとともに電源から供給された高電圧の電流を信号系に適した電圧に下げるトランスとしての機能を果たさせることができる。ＡＣ／ＤＣ変換回路４４に送られた電流は直流／交流変換されて充電装置３８の各内部電子部品に供給されるようになっている。
【００５１】
給電経路上であってリードスイッチ５１の近傍にはコイル５４が配置されており、ＡＣ／ＤＣ変換回路４４とコイル５４との間には磁気検知器としてのホールＩＣ４１及びＦＥＴ５５が設けられている。ホールＩＣ４１は磁気を検知しないときはＬＯＷレベルの信号を出力しＦＥＴ５５のゲートに対してこの信号に対応するＬＯＷレベルの電圧を印加するようになっており、磁気を検知したときはＨＩＧＨレベルの信号を出力しＦＥＴ５５のゲートに対してＨＩＧＨレベルの電圧を印加するようになっている。ＦＥＴ５５のゲートに対してＨＩＧＨレベルの電圧が印加されるとＦＥＴ５５のソース・ドレイン間に電流が流れてコイル５４に磁界が発生し、この磁界にリードスイッチ５１が吸引されることによりリードスイッチ５１がＯＮとなるようになっている。
【００５２】
図６及び図７に示すように、給電側コイル４８に対応する位置には携帯電話機３７の受電側コイル４７が設けられており、出力側である給電側コイル４８に誘導起電圧が発生することにより給電側コイル４８と受電側コイル４７の間に電流が流れるようになっている。同時に、給電経路が給電側コイル４８及び受電側コイル４７を介して電磁的に結合されていることにより回路を電気的に分離して各回路間の電気的干渉を防止することができるとともに電源から供給された高電圧の電流を信号系に適した電圧に下げるトランスとしての機能を果たさせることができる。
【００５３】
また、携帯電話機３７側の給電回路上にはＡＣ／ＤＣ変換回路５６が設けられており、受電側コイル４７に流れた電流はＡＣ／ＤＣ変換回路５６によって直流／交流変換されて携帯電話機３７内の各内部電子部品に送られるようになっている。
【００５４】
また、携帯電話機３７側の給電回路上には電流の逆流を防止するためのダイオード５７が設けられており、充電装置３８から供給された電流が所定の方向に流れることにより携帯電話機３７のバッテリーボックス内に格納されている二次電池５８が充電されるようになっている。また、携帯電話機３７側の回路上には二次電池５８に充電された電流を携帯電話機３７の各種の内部電子部品に供給するための電源回路５９が設けられている。
【００５５】
なお、その他の構成は、第一実施形態のものと同様であるので、その説明を省略する。
【００５６】
次に、本実施形態の作用について説明する。
【００５７】
電源用端子４３と接続されているコード４６を電源と接続することにより電源からの電流がＡＣ／ＤＣ変換回路４４によって直流／交流変換されて充電装置３８に供給される。充電装置３８に携帯電話機３７を装着すると、携帯電話機３７の報知用スピーカ４０が充電装置３８のホールＩＣ４１の上方に位置される。ホールＩＣ４１は携帯電話機３７に設けられた報知用スピーカ４０の磁石６０から出る磁気を検知してＨＩＧＨレベルの信号を出力し、この信号に対応してＨＩＧＨレベルの電圧をＦＥＴ５５のゲートに印加する。これにより、スイッチ部５０に設けられたＦＥＴ５５のソース・ドレイン間に電流が流れてコイル５４に磁界が発生する。この磁界にリードスイッチ５１が吸引されることによってリードスイッチ５１がＯＮとなり、給電回路に電流が流れる。さらに、給電側コイル４８に誘導起電圧が発生することにより給電側コイル４８と受電側コイル４７の間に電流が流れて携帯電話機３７側の回路への通電が行われる。電流は携帯電話機３７側の給電回路上を所定の方向に流れて携帯電話機３７のバッテリーボックス内に格納されている二次電池５８に供給され、二次電池５８を充電する。二次電池５８に充電された電流は電源回路５９に供給され、電源回路５９を介して携帯電話機３７の各種の内部電子部品に供給される。
【００５８】
なお、本実施形態においては、給電経路上にリードスイッチ５１を備えるスイッチ部５０を設けてコイル５４に磁界を発生させてリードスイッチ５１を動作させることにより通電と非通電を切り替えるようにしたが、第一の実施形態と同様に給電経路上にスイッチ機構としてＦＥＴを設けて通電と非通電を切り替えるようにしてもよい。
【００５９】
その他、本発明が本実施の形態に限られないことは、第一の実施形態と同様である。
【００６０】
本実施形態においては、充電装置３８と携帯電話機３７とを直接接触しないように接続しているので、充電装置３８の上面に給電用端子が露出することがないため、装置構成を簡素化することができる。
【００６１】
[第三実施形態]
次に、図８及び図９を参照しつつ、本発明の第三の実施形態について説明する。なお、以下においては、特に第一の実施形態及び第二の実施形態と異なる点を説明する。
【００６２】
本実施形態においては端末装置の装着装置として携帯電話機６１のクレードル６２を用い、図８に示すような携帯電話機６１を装着することによって携帯電話機６１と他の端末装置との間で情報の送受信を行う場合について説明する。
【００６３】
図８に示すように、本実施形態において、クレードル６２に装着される携帯電話機６１の第二筐体６３の背面側にはスピーカ６４が埋設されている。また、携帯電話機６１は第二筐体６３の背面側の端部に充電用端子６５が設けられている。また、充電用端子６５の近傍には電源端子６６及びグランド端子６９が設けられている。さらに、携帯電話機６１にはグランド端子６９に隣接してＤ−端子６７及びＤ＋端子６８が設けられており、他の端末装置との間で音声情報や文字情報、画像情報等の各種情報の送受信を行うことができるようになっている。
【００６４】
次に、本実施形態にける携帯電話機６１のクレードル６２の回路構成について説明する。
【００６５】
本実施形態においてクレードル６２に装着される携帯電話機６１には携帯電話機６１内の音声情報、文字情報等の処理を行うＣＰＵ７７が設けられており、ＣＰＵ７７はインターフェース７８を介してＤ−端子６７及びＤ＋端子６８と接続されている。
【００６６】
また、携帯電話機６１には、二次電池７５の充電を行うための電源（図示せず）と接続される充電用端子６５が設けられており、充電用端子６５から二次電池７５に電気を供給する給電回路上には電流の逆流を防止するためのダイオード７４が設けられている。そして、電源から供給された電流が所定の方向に流れることにより携帯電話機６１のバッテリーボックス内に格納されている二次電池７５が充電されるようになっている。また、携帯電話機６１側の給電回路上には二次電池７５に充電された電気をＣＰＵ７７等の各種の内部電子部品に供給するための電源回路７６が設けられている。
【００６７】
次に、クレードル６２には外部の電源（図示せず）と接続される電源端子７０が設けられており、電源端子７０は電源端子８２を介して携帯電話機６１の電源端子６６と接続されるようになっている。また、クレードル６２には外部の端末装置との間で情報の送受信を行うために外部の端末装置と接続されるＤ−端子８３及びＤ＋端子８４が設けられており、Ｄ−端子８３及びＤ＋端子８４はＤ−端子７９及びＤ＋端子８０を介して携帯電話機６１のＤ−端子６７及びＤ＋端子６７とそれぞれ接続されるようになっている。また、クレードル６２にはグランド端子８５が設けられており、グランド端子８５はグランド端子８１を介して携帯電話機６１のグランド端子６９と接続されるようになっている。
【００６８】
電源端子７０とインターフェース７８との間にはスイッチ機構としてのＦＥＴ７１及びホールＩＣ７２が設けられている。ホールＩＣは携帯電話機６１のスピーカ６４の磁石から出る磁気を検知するようになっており、クレードル６２に携帯電話機６１が装着されていない状態ではホールＩＣ７２は磁気を検知しないため、ＬＯＷレベルの信号を出力しＦＥＴ７１のゲートに対してＬＯＷレベルの電圧を印加するようになっている。他方、ホールＩＣ７２はクレードル６２に携帯電話機６１が装着された際には携帯電話機６１のスピーカ６４の磁石７３から出る磁気を検知してＨＩＧＨレベルの信号を出力しこれに対応したＨＩＧＨレベルの電圧をＦＥＴ７１のゲートに印加するようになっている。これにより、ＦＥＴ７１のソース・ドレイン間に電流が流れてインターフェース７８への通電が行われるようになっている。
【００６９】
インターフェース７８に対して通電が行われるとインターフェース７８は携帯電話機６１のＣＰＵ７７に対して他の端末装置との間で情報の送受信が可能となったことを通知する信号を送るようになっている。ＣＰＵ７７はインターフェース７８からの信号を受け取るとクレードル６２のＤ−端子７９，８３及びＤ＋端子８０，８４と携帯電話機６１のＤ−端子６７及びＤ＋端子６８との間で情報の送受信を行うようになっている。
【００７０】
なお、その他の構成については、第一の実施形態と同様であるので、同一符号を付してその説明を省略する。
【００７１】
次に、本実施形態の作用について説明する。
【００７２】
クレードル６２の電源用端子７０が外部の電源に接続されると電源からの電流がクレードル６２に供給される。クレードル６２に携帯電話機６１を装着すると、携帯電話機６１に設けられている各端子がこれに対応してクレードル６２に設けられている各端子に当接するとともに携帯電話機６１のスピーカ６４がクレードル６２のホールＩＣ７２の上方に位置される。ホールＩＣ７２は携帯電話機６１に設けられたスピーカ６４の磁石７３から出る磁気を検知してＨＩＧＨレベルの信号を出力し、これに対応したＨＩＧＨレベルの電圧がＦＥＴ７１のゲートに印加される。これにより、ＦＥＴ７１のソース・ドレイン間に電流が流れてインターフェース７８への通電が行われる。インターフェース７８に電気が供給されることによりインターフェース７８から携帯電話機６１のＣＰＵに対して他の端末装置との間で情報の送受信が可能となったことを通知する信号が送られる。
【００７３】
ＣＰＵ７７はインターフェース７８からの信号を受け取るとクレードル６２のＤ−端子７９，８３、Ｄ＋端子８０，８４と携帯電話機６１のＤ−端子６７、Ｄ＋端子６８とを介して他の端末装置との間で各種の情報の送受信を行う。
【００７４】
なお、本実施形態においてはスイッチ機構としてのＦＥＴ７１をクレードル６２の電源用端子７０とインターフェース７８との間に設けるようにしたが、ＦＥＴを設ける位置はこれに限られず、送受信経路上のいずれかに設けられていればよい。また、本実施形態においてはクレードル６２の電源用端子７０を外部の電源に接続することにより外部の電源から電源の供給を受ける構成としたが、ＦＥＴ７１をクレードル６２の電源用端子７０とインターフェース７８との間以外に設ける場合には携帯電話機６１の二次電池７５から電源の供給を受けるようにしてもよい。
【００７５】
その他、本発明が本実施の形態に限られないことは、第一の実施形態と同様である。
【００７６】
本実施形態によれば、クレードル６２に携帯電話機６１を載置するだけで他の端末装置との通信や二次電池７５の充電を行うことができるので、クレードル６２の携帯電話機６１の装着面にスイッチ及びスイッチを露出させるための開口部を設ける必要がない。このため、装置構成の簡易化を図ることができるとともに、開口部からクレードル６２内部に埃等が入ることがなく、故障を防止することができる。
【図面の簡単な説明】
【００７７】
【図１】本発明に係る端末装置の装着装置の第一の実施形態としての充電装置を模式的に示した斜視図である。
【図２】図２（ａ）は、図１に示した充電装置に装着される携帯電話機の正面図である。図２（ｂ）は、図２（ａ）に示した携帯電話機の背面図である。
【図３】図１に示した充電装置に図２に示した携帯電話機を装着した状態を示した断面図である。
【図４】図４（ａ）は、本発明に係る端末装置の装着装置の第一の実施形態としての充電装置の電気的な構成を示す概略回路図である。図４（ｂ）は、図４（ａ）に示した充電装置に携帯電話機を装着した状態の電気的な構成を示す概略回路図である。
【図５】本発明の第一の実施形態の変形例としての充電装置に携帯電話機を装着した状態を示した断面図である。
【図６】本発明の第二の実施形態としての充電装置に携帯電話機を装着した状態を示した断面図である。
【図７】本発明に係る端末装置の装着装置の第二の実施形態としての充電装置に携帯電話機を装着した状態の電気的な構成を示す概略回路図である。
【図８】本発明に係る端末装置の装着装置の第三の実施形態としてのクレードルに装着される携帯電話機の背面図である。
【図９】本発明に係る端末装置の装着装置の第三の実施形態としてのクレードルに携帯電話機を装着した状態の電気的な構成を示す概略回路図である。
【符号の説明】
【００７８】
１  携帯電話機
２  充電装置
１１  報知用スピーカ
１５  充電用端子
２７  ホールＩＣ
２９  ＦＥＴ
３１  磁石
【図１】
2005110332.tif 000003
【図２】
2005110332.tif 000004
【図３】
2005110332.tif 000005
【図４】
2005110332.tif 000006
【図５】
2005110332.tif 000007
【図６】
2005110332.tif 000008
【図７】
2005110332.tif 000009
【図８】
2005110332.tif 000010
【図９】
2005110332.tif 000011